(57)【要約】【課題】空気を浄化することのできる空気清浄機において、送風口からの送風による、床上での吸気口へ流れ込む気流の風速を更に増加させることを目的とする。【解決手段】吸気口１と送風口２を有する略箱形状の本体ケース３と、送風口２に設けた風向調整手段と、本体ケース３内の吸気口１と送風口２とを連通する風路に備えた送風手段５と空気清浄手段４と、送風手段５と風向調整手段とを制御する制御手段６と、この制御手段６に接続された操作手段７とを備え、送風口２を本体ケース３の上部に設け、吸気口１を本体ケース３の下部に備え、操作手段７には、留守番運転モードを有し、この留守番運転モードを選択すると、制御手段６によって、所定時間の間、送風口２から前方である第１の方向へ送風し、吸気口１から本体ケース３内へ吸込む第１の空気清浄運転を行うことを特徴としたものである。【選択図】図２
2015025571.tif 000002
【特許請求の範囲】
【請求項１】
吸気口と送風口を有する略箱形状の本体ケースと、前記送風口に設けた風向調整手段と、前記本体ケース内の前記吸気口と前記送風口とを連通する風路に備えた送風手段と空気清浄手段と、前記送風手段と前記風向調整手段とを制御する制御手段と、この制御手段に接続された操作手段とを備え、前記送風口を前記本体ケースの上部に設け、前記吸気口を前記本体ケースの下部に備え、前記操作手段には、留守番運転モードを有し、この留守番運転モードを選択すると、前記制御手段によって、所定時間の間、前記送風口から前方である第１の方向へ送風し、前記吸気口から前記本体ケース内へ吸込む第１の空気清浄運転を行うことを特徴とする空気清浄機。
【請求項２】
前記留守番運転モードを選択すると、前記制御手段によって、所定時間経過後に第１の空気清浄運転を行うことを特徴とする請求項１に記載の空気清浄機。
【請求項３】
前記送風手段は、少なくとも第１の風速を送風する第１のノッチと、第２の風速を送風する第２のノッチとを有し、前記第１の風速は、前記第２の風速より大きい最大風速であり、前記第１の空気清浄運転は、前記第１の風速である前記第１のノッチで運転することを特徴とする請求項２に記載の空気清浄機。
【請求項４】
前記留守番運転モードを選択すると、前記制御手段によって、前記第１の空気清浄運転の前に準備運転を行い、この準備運転は、前記送風口から前記第１の方向へ送風し、前記吸気口から前記本体ケース内へ吸込むと共に、前記第２の風速である前記第２のノッチ運転することを特徴とする請求項２または３に記載の空気清浄機。
【請求項５】
前記留守番運転モードを選択すると、前記制御手段によって、前記第１の空気清浄運転の後に待機運転を行い、この待機運転は、前記送風口から前記第１の方向より上方である第２の方向へ送風し、前記吸気口から前記本体ケース内へ吸込むことを特徴とする請求項２から４のいずれかに記載の空気清浄機。
【請求項６】
前記留守番運転モードを選択すると、前記制御手段によって、前記第１の空気清浄運転の前に第２の空気清浄運転を行い、この第２の空気清浄運転は、前記送風口より前記第１の方向より上方である第２の方向へ送風し、前記吸気口から前記本体ケース内へ吸込むと共に、前記第１の風速である前記第１のノッチ運転で運転することを特徴とする請求項２から５のいずれかに記載の空気清浄機。
【発明の詳細な説明】
【技術分野】
【０００１】
本発明は、空気を浄化することのできる空気清浄機に関するものである。
【背景技術】
【０００２】
従来のこの種の空気清浄機の構成は以下のようになっていた。
【０００３】
すなわち、吸気口と送風口を有する本体ケースと、この本体ケース内で、前記吸気口から前記送風口に送風される送風路に空気清浄手段を設けた構成となっていた（例えば、特許文献１参照）。
【０００４】
以下、従来の空気清浄機について説明する。空気調和装置は浄化手段と送風手段と吹出口と１枚の吹出ルーバーと埃センサーからなり、埃センサーより出力される粉塵の粒径の大きさに応じて吹出ルーバーを仰角方向に角度調整する制御部を備えることにより、粉塵をその粒径に適した気流により効果的に空気調和装置に到達させ、部屋の空気を清浄する。
【先行技術文献】
【特許文献】
【０００５】
【特許文献１】特許第４８４０１８１号公報
【発明の概要】
【発明が解決しようとする課題】
【０００６】
上記従来例における課題は、床上での吸気口へ流れ込む吸込気流の風速を更に増加させることであった。
【０００７】
送風口からの吹き出し角度が仰角方向へ大きいものに比べると、送風口からの吹き出し角度が仰角方向へ小さいものは、室内での循環気流の渦の中心が下るものである。このように、循環気流の渦の中心が下ることにより、床上での本体の吸気口へ流れ込む気流の垂直方向の高さが小さくなる。これによって、床上での吸気口へ流れ込む気流の風速を増加させることができるものであった。
【０００８】
そこで、本発明は、上記従来の課題を解決するものであり、床上での吸気口へ流れ込む気流の風速を更に増加させる空気清浄機を提供することを目的とする。
【課題を解決するための手段】
【０００９】
そして、この目的を達成するために、本発明は、吸気口と送風口を有する略箱形状の本体ケースと、前記送風口に設けた風向調整手段と、前記本体ケース内の前記吸気口と前記送風口とを連通する風路に備えた送風手段と空気清浄手段と、前記送風手段と前記風向調整手段とを制御する制御手段と、この制御手段に接続された操作手段とを備え、前記送風口を前記本体ケースの上部に設け、前記吸気口を前記本体ケースの下部に備え、前記操作手段には、留守番運転モードを有し、この留守番運転モードを選択すると、前記制御手段によって、所定時間の間、前記送風口から前方である第１の方向へ送風し、前記吸気口から前記本体ケース内へ吸込む第１の空気清浄運転を行うことを特徴としたものであり、これにより所期の目的を達成するものである。
【発明の効果】
【００１０】
本発明によれば、吸気口と送風口を有する略箱形状の本体ケースと、前記送風口に設けた風向調整手段と、前記本体ケース内の前記吸気口と前記送風口とを連通する風路に備えた送風手段と空気清浄手段と、前記送風手段と前記風向調整手段とを制御する制御手段と、この制御手段に接続された操作手段とを備え、前記送風口を前記本体ケースの上部に設け、前記吸気口を前記本体ケースの下部に備え、前記操作手段には、留守番運転モードを有し、この留守番運転モードを選択すると、前記制御手段によって、所定時間の間、前記送風口から前方である第１の方向へ送風し、前記吸気口から前記本体ケース内へ吸込む第１の空気清浄運転を行うことを特徴とする構成にしたものである。
【００１１】
これにより、留守番運転モードを選択すると、制御手段によって、所定時間の間、送風口から前方である第１の方向へ送風し、吸気口から本体ケース内へ吸込む第１の空気清浄運転を行うので、外出時に、留守番運転モードを選択すると、外出中に、所定時間の間、送風口から前方である第１の方向へ送風できるので、使用者に直接送風が当たることを防止でき、送風口からの吹き出し角度が仰角方向へより小さいものとなる。
【００１２】
結果として、床上での本体の吸気口へ流れ込む気流の垂直方向の高さを小さくできるので、床上での吸気口へ流れ込む気流の風速を更に増加させることができる。
【図面の簡単な説明】
【００１３】
【図１】本発明の実施の形態１の空気清浄機の斜視図
【図２】同空気清浄機の概略縦断面を示す図
【図３】同空気清浄機の風向調整手段を示す概略図
【図４】同空気清浄機の詳細を示す図
【発明を実施するための形態】
【００１４】
（実施の形態１）
図１から図４に示すように、本実施形態の空気清浄機は、吸気口１と送風口２を有する本体ケース３と、この本体ケース３内に設けられた空気清浄手段４と、送風手段５と、制御手段６と、操作手段７を備えている。
【００１５】
本体ケース３は、縦長四角箱形状で、本体ケース３の前面の下部に吸気口１を備え、本体ケース３の上部、つまり天面の背面側に横長四角形状の送風口２を設けている。この送風口２には、開閉自在に設けられた風向調整手段を備えている。
【００１６】
空気清浄手段４は、本体ケース３の吸気口１近傍に設けられ、一例としては、空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。
【００１７】
送風手段５は、空気清浄手段４と本体ケース３の送風口２との間の風路に位置し、ケーシング部１０と、モーター部１１と、ファン部１２とから形成している。ケーシング部１０は、スクロール形状で、側面に円形状の吸込口１３を備え、上面に横長四角形状の吐出口１４を設けている。このケーシング部１０には、モーター部１１が固定されている。このモーター部１１の軸部１５には、遠心送風タイプのファン部１２が固定されている。モーター部１１によってファン部１２が回転すると、本体ケース３外の空気が、吸気口１から本体ケース３内に吸気され、空気清浄手段４、送風手段５とを順次介して、ファン部１２から上方の送風口２へと送風されるものである。
【００１８】
操作手段７は、本体ケース３の天面の送風口２より前面側に位置し、この操作手段７の下方には、制御手段６を備えている。この制御手段６は、操作手段７からの入力により、送風手段５と第１の風向調整手段８と第２の風向調整手段９とを制御するものである。操作手段７は、留守番運転モードを備えている。
【００１９】
風向調整手段は、第１の風向調整手段８と第２の風向調整手段９とからなる。
【００２０】
第１の風向調整手段８は、横長四角形状の平板である第１の風向板１７と、この第１の風向板１７を送風口２に回動自在に軸支する第１の軸支部１８とから形成している。この第１の軸支部１８は、第１の風向板１７の短辺側から外方へ伸びた第１の軸部１９と、送風口２に設けられた水平方向の孔で、この第１の軸部１９が入る第１の軸受部２０とからなる。第１の軸部１９を介して第１の風向板１７を回動させる第１の回動手段２１を備えている。第１の風向板１７は、本体ケース３における前面側に位置すると共に、第１の回動手段２１によって、本体ケース３における前面側が、本体ケース３の天面から仰角方向へ第１の角度まで回動可能である。
【００２１】
第２の風向調整手段９は、横長四角形状の平板である第２の風向板２２と、この第２の風向板２２を送風口２に回動自在に軸支する第２の軸支部２３とから形成している。この第２の軸支部２３は、第２の風向板２２の短辺側から外方へ伸びた第２の軸部２４と、送風口２に設けられた水平方向の孔で、この第２の軸部２４が入る第２の軸受部２５とからなる。第２の軸部２４を介して第２の風向板２２を回動させる第２の回動手段２６を備えている。第２の風向板２２は、本体ケース３における前面側に位置すると共に、第２の回動手段２６によって、本体ケース３における前面側が、本体ケース３の天面から仰角方向へ第２の角度まで回動可能である。
【００２２】
本体ケース３の天面は、水平面に対して、第３の角度、本体ケース３の背面から前面に向うにつれて上方へ傾斜する第１の傾斜面で構成している。
【００２３】
本実施形態における特徴は、留守番運転モードを選択すると、制御手段６によって、所定時間の間、送風口２から前方である第１の方向へ送風し、吸気口１から本体ケース３内へ吸込む第１の空気清浄運転を行う点である。
【００２４】
これにより、外出時に、留守番運転モードを選択すると、外出中に、所定時間の間、送風口から前方である第１の方向へ送風できるので、使用者に直接送風が、当たることを防止でき、送風口２からの吹き出し角度が仰角方向へより小さいものとなる。
【００２５】
結果として、床上での本体の吸気口１へ流れ込む気流の垂直方向の高さを小さくできるので、床上での吸気口へ流れ込む気流の風速を更に増加させることができる。
【００２６】
なお、送風口２から前方である第１の方向とは、仰角２０〜４５°の範囲がよく、より好ましくは３０°程度に保持するとよい。この角度で吹き出すことにより、部屋の対向する内壁近傍まで空気の流れが行き渡り、低域空間に浮遊している粉塵粒子を効率よく集めることができる。また、吸気口１上部の空気が送風によって吸気口１に流れ込まずに再び送風されることを抑制することができる。
【００２７】
また、留守番運転モードを選択すると、制御手段によって、所定時間経過後に第１の空気清浄運転を行うものである。
【００２８】
これにより、留守番運転モードを選択してから所定時間の間は、送風口２から前方である第１の方向に送風しないので、留守番運転モード選択直後に、使用者に直接送風が当たることを防止することができる。
【００２９】
また、送風手段５は、少なくとも第１の風速を送風する第１のノッチと、第２の風速を送風する第２のノッチとを有している。第１の風速は、第２の風速より大きい最大風速であり、第１の空気清浄運転は、第１の風速である第１のノッチで運転するものである。
【００３０】
これにより、第１の空気清浄運転は、最大風速で吹き出すので、床上での吸気口１へ流れ込む気流の風速を更に増加させることができる。
【００３１】
また、留守番運転モードを選択すると、制御手段６によって、第１の空気清浄運転の前に準備運転を行う。この準備運転は、送風口２から第１の方向へ送風し、吸気口１から本体ケース３内へ吸込むと共に、第２の風速である第２のノッチで運転するものである。
【００３２】
これにより、留守番運転モード選択後に、使用者に直接送風が最大風速で当たることを防止することができる。また、第１の空気清浄運転の前に、風速の小さい第２のノッチで送風口から第１の方向へ送風する準備運転を行うことで、部屋の対向する内壁近傍まで空気の流れが行き渡り、低域空間に浮遊している粉塵粒子を効率よく集めることができる気流をあらかじめ生成し、第１の空気清浄運転を開始した時に、より効率よく集めることができる。また、風速の小さい第２のノッチで送風してから、風速の大きい第１のノッチで送風するので、風速が段階的に増加し、留守番運転モード選択後の急激な運転音の変化を防ぐことができる。
【００３３】
留守番運転モードを選択すると、制御手段６によって、第１の空気清浄運転の後に待機運転を行う。この待機運転は、送風口２から第１の方向より上方である第２の方向へ送風し、吸気口１から前記本体ケース内へ吸込むものである。
【００３４】
これにより、第１の空気清浄運転の前に、第１の方向より上方である第２の方向へ送風する待機運転を行うことで、部屋の高域空間に浮遊している粉塵粒子を、部屋の壁面に沿って下方へ誘導し、第１の空気清浄運転を開始した時に、低域空間に浮遊している粉塵粒子を効率よく集めることができる。
【００３５】
また、留守番運転モードを選択すると、制御手段６によって、第１の空気清浄運転の前に第２の空気清浄運転を行う。この第２の空気清浄運転は、送風口２より第１の方向より上方である第２の方向へ送風し、吸気口１から本体ケース３内へ吸込むと共に、第１の風速である第１のノッチ運転で運転するものである。
【００３６】
これにより、第１の空気清浄運転の前に、第１の方向より上方である第２の方向へ送風する第２の空気清浄運転を行うことで、部屋の高域空間に浮遊している粉塵粒子を、効率よく部屋の壁面に沿って下方へ誘導し、第１の空気清浄運転を開始した時に、低域空間に浮遊している粉塵粒子を効率よく集めることができる。
【産業上の利用可能性】
【００３７】
本発明にかかる空気清浄機は、本発明によれば、吸気口と送風口を有する略箱形状の本体ケースと、前記送風口に設けた風向調整手段と、前記本体ケース内の前記吸気口と前記送風口とを連通する風路に備えた送風手段と空気清浄手段と、前記送風手段と前記風向調整手段とを制御する制御手段と、この制御手段に接続された操作手段とを備え、前記送風口を前記本体ケースの上部に設け、前記吸気口を前記本体ケースの下部に備え、前記操作手段には、留守番運転モードを有し、この留守番運転モードを選択すると、前記制御手段によって、所定時間の間、前記送風口から前方である第１の方向へ送風し、前記吸気口から前記本体ケース内へ吸込む第１の空気清浄運転を行うことを特徴とする構成にしたものである。
【００３８】
これにより、留守番運転モードを選択すると、制御手段によって、所定時間の間、送風口から前方である第１の方向へ送風し、吸気口から本体ケース内へ吸込む第１の空気清浄運転を行うので、外出時に、留守番運転モードを選択すると、外出中に、所定時間の間、送風口から前方である第１の方向へ送風できるので、使用者に直接送風が、当たることを防止でき、送風口からの吹き出し角度が仰角方向へより小さいものとなる。
【００３９】
結果として、床上での本体の吸気口へ流れ込む気流の垂直方向の高さを小さくできるので、床上での吸気口へ流れ込む気流の風速を更に増加させることができる。
【００４０】
従って、家庭用や事務用などの、空気清浄機等としての活用が期待されるものである。
【符号の説明】
【００４１】
１      吸気口
２      送風口
３      本体ケース
４      空気清浄手段
５      送風手段
６      制御手段
７      操作手段
８      第１の風向調整手段
９      第２の風向調整手段
１０      ケーシング部
１１      モーター部
１２      ファン部
１３      吸込口
１４      吐出口
１５      軸部
１７      第１の風向板
１８      第１の軸支部
１９      第１の軸部
２０      第１の軸受部
２１      第１の回動手段
２２      第２の風向板
２３      第２の軸支部
２４      第２の軸部
２５      第２の軸受部
２６      第２の回動手段
【図１】
2015025571.tif 000003
【図２】
2015025571.tif 000004
【図３】
2015025571.tif 000005
【図４】
2015025571.tif 000006